(57)【要約】      （修正有）【課題】横置きする線香の転がりを防止でき、安定した姿勢で安全に燃焼させることができるだけではなく、線香を最後まで確実に燃焼させることができる線香置き台を提供する。【解決手段】上面開口状の灰受け容器１を備え、この灰受け容器１の開口状の上面に線香２を寝かせて置くための線香置き台である。上記の開口状の上面に、耐火性のワイヤー４を、線香２の寝かせる方向と直交する横向き方向に傾斜して、且つ線香２との接触箇所５が谷底を形作るよう張って形成する。【選択図】図１
0003181995.tif 000002
【実用新案登録請求の範囲】
【請求項１】
上面開口状の灰受け容器を備え、この灰受け容器の開口状の上面に線香が寝かせられて置かれる線香置き台であって、上記の開口状の上面に、耐火性のワイヤーが、線香の寝かせられる方向と直交する横向き方向に傾斜されて、且つ線香との接触箇所が谷底を形作るよう張られていることを特徴とする線香置き台。
【請求項２】
請求項1記載の線香置き台であって、ワイヤーが、開口状の上面に装着される枠状部材に張られていることを特徴とする線香置き台。
【請求項３】
請求項２記載の線香置き台であって、枠状部材が、線香の寝かせられる方向に沿って延びる平行一対状の枠片を備えて細長の矩形状に形成され、この枠状部材の平行一対状の枠片に、ワイヤーが、上から下に代わる代わる反転されて上から見て三角波状に巻き付けられていることを特徴とする線香置き台。
【請求項４】
請求項３記載の線香置き台であって、灰受け容器の開口状の上面が細長の矩形状に形成され、灰受け容器の上端の内周縁に、枠状部材を係合させる凹段差部が形成されていることを特徴とする線香置き台。
【考案の詳細な説明】
【技術分野】
【０００１】
本考案は、線香置き台に関し、更に詳しくは火のついた線香を横向きに置いて使用するタイプの線香置き台に関するものである。
【背景技術】
【０００２】
従来、この種の発明としては、例えば特許文献１に記載されている香炉皿がある。
この香炉皿は、上面が開放された筺体と、この筺体の内部に収納される網状の網体とを備えて形成されている。そして、線香を寝かせて使用する網体は、谷状の傾斜部を有し、傾斜部の最底領域は線香を寝かせる方向に延在するよう形成されている。
【０００３】
而して、この従来品は、線香を置くための網体が、網体という言葉通り、メッシュ状に形成されていた。
従って、この従来品の場合は、線香と網体との接触面積が大きくなるのを避けられず、線香の熱を網体に奪われ、また線香の燃焼部分にエアが充分供給されにくいものであった。
その結果、これによると、線香の転がりは網体の最底領域で防止できるものの、線香の火が途中で消えてしまう、という問題点があった。
【先行技術文献】
【特許文献】
【０００４】
【特許文献１】特開２０１２−１２８４１号公報
【考案の概要】
【考案が解決しようとする課題】
【０００５】
本考案は、このような従来技術の問題点に鑑み、提案されたものである。
従って、本考案の解決しようとする技術的課題は、横置きする線香の転がりを防止でき、安定した姿勢で安全に燃焼させることができるだけではなく、線香を最後まで確実に燃焼させることができるよう形成した線香置き台を提供することにある。
【課題を解決するための手段】
【０００６】
本考案は、上記の課題を解決するため、次のような技術的手段を採る。
即ち、本考案は、図１等に示されるように、上面開口状の灰受け容器１を備え、この灰受け容器１の開口状の上面に線香２が寝かせられて置かれる線香置き台であって、上記の開口状の上面に、耐火性のワイヤー４が、線香２の寝かせられる方向と直交する横向き方向に傾斜されて、且つ線香２との接触箇所５が谷底を形作るよう張られていることを特徴とする（請求項１）。
【０００７】
耐火性のワイヤー４としては、例えばピアノ線、ステンレス線、タングステン線等がある。本考案の場合、ワイヤー４は、線香２との接触部分を減少させ、燃焼への悪影響を抑えることができるよう細いほど好ましいが、耐久性にも鑑み、適宜の太さのものが選定される。
【０００８】
而して、本考案は、ワイヤー４が灰受け容器１の開口状の上面に装着される枠状部材６に張られているのが好ましい（請求項２）。
【０００９】
なぜならこれによると、ワイヤー４が損傷しても枠状部材６を交換することで済み、枠状部材６を外すことで灰を捨てることができ、メンテナンスを容易化できるからである。
【００１０】
またこの場合、本考案は、枠状部材６が、線香２の寝かせられる方向に沿って延びる平行一対状の枠片６ａを備えて細長の矩形状に形成され、この枠状部材６の平行一対状の枠片６ａに、ワイヤー４が、上から下に代わる代わる反転されて上から見て三角波状に巻き付けられているのが好ましい（請求項３）。
【００１１】
なぜならこれによると、線香２を置くための谷底状の箇所を、ワイヤー４の使用量を増やすことなく、効率良く、簡単に形成できるからである。
【００１２】
また本考案は、灰受け容器１の開口状の上面が細長の矩形状に形成され、灰受け容器１の上端の内周縁に、枠状部材６を係合させる凹段差部１ａが形成されているのが好ましい（請求項４）。
【００１３】
なぜならこれによると、灰受け容器１の上面を整然化でき、また枠状部材６が横ずれすることを防止できるからである。
【考案の効果】
【００１４】
本考案は、このように灰受け容器の開口状の上面に、耐火性のワイヤーが、線香の寝かせられる方向と直交する横向き方向に傾斜されて、且つ線香の置かれる箇所が線香の寝かせられる方向に延ばされて谷底を形作るよう張られている。
【００１５】
従って、本考案によれば、線香の転がりを防止できるだけではなく、線香を最後まで確実に燃焼させることができる。
【図面の簡単な説明】
【００１６】
【図１】本考案の線香置き台の好適な一実施形態を示す斜視図である。
【図２】同上線香置き台の要部分解斜視図である。
【図３】同上線香置き台の一部を切欠した拡大平面図である。
【図４】図３のＩＶ−ＩＶ線における断面図である。
【図５】同上線香置き台の他の実施形態を示す一部を切欠した平面図である。
【考案を実施するための形態】
【００１７】
以下、本考案を実施するための好適な一実施形態を、添付図面に従って説明する。
【００１８】
本考案は、図１等に示されるように、上面開口状の灰受け容器１を備え、この灰受け容器１の開口状の上面に線香２が寝かせられて置かれる線香置き台である。
【００１９】
この実施形態の場合、灰受け容器１は金属材で直方体に形成され、開口状の上面が細長矩形状に形成されている。また灰受け容器１は、底部に脚３が左右一対状に設けられ、この脚３で起立状に形成されている。
【００２０】
また灰受け容器１は、開口状の上面に、耐火性のワイヤー４が、線香２の寝かせられる方向と直交する横向き方向に傾斜されて、且つ線香２との接触箇所５が谷底を形作るよう張られている。ワイヤー４は、この実施形態ではタングステンの極細線（例えば太さが０．０２ｍｍ）が使用されている。
【００２１】
またこの実施形態の場合、ワイヤー４は、枠状部材６に張られ、この枠状部材６が灰受け容器１の開口状の上面に装着されることで実現されている。枠状部材６は、線香２の寝かせられる方向に沿って延びる平行一対状の枠片６ａを備えて細長の矩形状に形成されている。ワイヤー４は、この平行一対状の枠片６ａに、上から下に代わる代わる反転されて上から見て三角波状に巻き付けられている。
【００２２】
上記の灰受け容器１は、上端部の内周縁に、枠状部材６を係合させる凹段差部１ａが、上から見て細長の矩形状に形成されている。枠状部材６は、この凹段差部１ａに係合されて灰受け容器１に装着される。
【００２３】
またこの実施形態の本考案品は、灰受け容器１の上面を閉塞する蓋７を備えて形成されている。またこの実施形態の灰受け容器１は、短幅方向の両側面に、空気の流通孔１ｂが複数形成されている。なお、８（図２参照）は、灰受け容器１内に堆積した灰である。
【００２４】
次に、この実施形態の本考案品の使用例を説明する。
【００２５】
使用者は、図１等に示されるように、蓋７を外し、灰受け容器１の上面に、火をつけた線香２を、例えば１本横置きする。線香２から落ちる灰は、灰受け容器１内に回収される。灰を捨てる場合は、枠状部材６を外して行なう。
【００２６】
而して、本考案の場合、灰受け容器１の上面には線香２の寝かせられる方向に谷底を形作るようワイヤー４が張られている。
従って、本考案では、線香２が谷底を呈するワイヤー４の位置に支持されることになるから、本考案によると、線香２がワイヤー４の上で転って移動したり、灰受け容器１の上面から落下することなく、安定した姿勢で且つ安全に線香２を燃焼させることができる。
【００２７】
また本考案品は、上記の通り、線香２がワイヤー４で支持され、ワイヤー４は線香２の寝かせられる方向と直交する横向き方向に傾斜されて灰受け容器１の上面に張られている。
従って、本考案は、ワイヤー４の太さを選定することにより、線香２との接触面積を小さくできるから、燃焼中の線香２から熱を奪ったり、空気の供給を途切れさせることを防止でき、その結果、これによれば、線香２を最後まで燃やすことができる。
【００２８】
以上の処において、本考案は、ワイヤー４が灰受け容器１の上面に、接着等の手段で直接張られているのでも良い。
またワイヤー４の張り方は、上例に限定されるものではなく、例えば枠状部材６の短幅方向にワイヤー４が平行に、且つ中央が谷底になるよう側面から見てＶ字状に張られているのでも良い。
【００２９】
また本考案は、例えば図５に示されるように、枠状部材６を、並列状に複数備えて形成されているのでも良い。この場合は、枠状部材６の個数分、線香２の本数を増やすことができる、という利点がある。
【００３０】
また本考案は、灰受け容器１の前面や蓋７等の適宜位置に、家紋等が印刷や刻設等の手段で付されているのでも良い。
【符号の説明】
【００３１】
１      灰受け容器
２      線香
３      脚
４      ワイヤー
５      線香との接触箇所
６      枠状部材
７      蓋
【図１】
0003181995.tif 000003
【図２】
0003181995.tif 000004
【図３】
0003181995.tif 000005
【図４】
0003181995.tif 000006
【図５】
0003181995.tif 000007